(57)【要約】    【課題】  作業員が遠い位置からでも瞬時にデータを判断することができる消防ポンプ用表示器、制御装置、及び消防ポンプ車を提供する。    【解決手段】  表示部２ａを上下へ略３分割した中段領域であって、左右方向の中央より少し両側がわの領域にはそれぞれ、円弧状の目盛りに数字を付した数値表示像の中央に針像を回動自在に表示すると共に計器の種類を表示してなる第１アナログメーター像Ａ１及び第２アナログメーター像Ａ２が配してあり、基本画面では、第１アナログメーター像Ａ１に連成計の像が、第２アナログメーター像Ａ２に圧力計の像が表示してある。操作部１の回転ボタン１２ａ又は流量ボタン１２ｂが操作された場合、第１アナログメーター像Ａ１に回転計の像又は流量計の像が表示される。【選択図】      図２
2005230524.tif 000002
【特許請求の範囲】
【請求項１】
消防ポンプの適宜位置に配設され、当該消防ポンプの運転状態を検出する複数のセンサが検出した検出結果を表示部に表示する消防ポンプ用表示器において、
各センサに応じた複数種類のアナログメーター像を前記表示部に表示させ得るアナログメーター像表示手段と、このアナログメーター像表示手段に表示させるアナログメーター像の種類を切り替えるアナログメーター像切替手段とを備えることを特徴とする消防ポンプ用表示器。
【請求項２】
前記アナログメーター像表示手段は、前記表示部にアナログメーター像を表示させる基本画面に、視認優先度が高い種類のアナログメーター像を表示させようにしてある請求項１記載の消防ポンプ用表示器。
【請求項３】
前記アナログメーター像表示手段は前記基本画面に２つのアナログメーター像を表示するようになしてあり、一方のアナログメーター像には、消防ポンプの吸水側の圧力を検出するセンサの検出結果が表示され、他方のアナログメーター像には、消防ポンプの吐水側の圧力を検出するセンサの検出結果が表示されるようになっている請求項２記載の消防ポンプ用表示器。
【請求項４】
前記各センサが検出した検出結果をそれぞれデジタルメーター像で前記表示部に表示させるデジタルメーター像表示手段を更に備える請求項１から３のいずれかに記載の消防ポンプ用表示器。
【請求項５】
消防ポンプの動作状態を図形で示す像、及び／又は放水状態を図形で示す像、及び／又は吸水状態を図形で示す像を前記表示部に表示させる状態像表示手段を更に備え、状態像表示手段は、対応するセンサの検出結果に基づいて、対応する像の表示状態を変更するようにしてある請求項１から４のいずれかに記載の消防ポンプ用表示器。
【請求項６】
所定センサの検出結果に基づいて、前記消防ポンプの運転に係る警告像を前記アナログメーター像が表示される第１画面に表示させる警告像表示手段を備える請求項１から５のいずれかに記載の消防ポンプ用表示器。
【請求項７】
前記状態像表示手段による像の表示状態の説明を表示した第２画面を前記表示部に表示させる第２画面表示手段と、
表示部に表示されている画面を、前記アナログメーター像が表示される第１画面と前記第２画面とに切り替える表示画面切替手段とを備える請求項５記載の消防ポンプ用表示器。
【請求項８】
前記警告像が表示された場合の対処方法を表示した第３画面を前記表示部に表示させる第３画面表示手段と、
前記表示部に表示されている画面を、前記第１画面と第３画面とに切り替える表示画面切替手段とを備える請求項６記載の消防ポンプ用表示器。
【請求項９】
消防ポンプの適宜位置に配設され、当該消防ポンプの運転状態を検出する複数のセンサが検出した検出結果を表示部に表示する消防ポンプ用表示器を備え、前記消防ポンプの運転を制御する消防ポンプ用制御装置において、
請求項１から８のいずれかに記載の消防ポンプ用表示器を備え、
更に、消防ポンプの動作を開始させる手段、消防ポンプの動作を停止させる手段、消防ポンプの出力を上昇させる手段、及び消防ポンプの出力を降下させる手段を備えることを特徴とする消防ポンプ用制御装置。
【請求項１０】
消防ポンプの適宜位置に配設され、当該消防ポンプの運転状態を検出する複数のセンサが検出した検出結果を表示部に表示する消防ポンプ用表示器を備え、前記消防ポンプの運転を制御する消防ポンプ用制御装置において、
請求項１から８のいずれかに記載の消防ポンプ用表示器を備え、
更に、消防ポンプを制御する制御用数値を設定するためのモードに切り替えるモード切替手段と、
所要種類の第１アナログメーター像を指定する指定手段と、
この第１アナログメーター像に前記制御用数値を設定する制御用数値設定手段と、
設定された第１制御用数値を用いて消防ポンプの運転を制御する第１制御手段と
を備えることを特徴とする消防ポンプ用制御装置。
【請求項１１】
前記指定手段は、前記指定した種類とは異なる種類の第２アナログメーター像を更に指定し得るようにしてあり、前記制御用数値設定手段は第２アナログメーター像に第２制御用数値を設定し得るようにしてあり、設定された第２制御用数値を用いて消防ポンプの運転を制御する第２制御手段を備える請求項１０記載の消防ポンプ用制御装置。
【請求項１２】
吸吐水する消防ポンプと、この消防ポンプの適宜位置に配設され、当該消防ポンプの運転状態を検出する複数のセンサと、各センサが検出した検出結果を表示部に表示する消防ポンプ用表示器を具備し、前記消防ポンプの運転を制御する消防ポンプ用制御装置とを備える消防ポンプ車において、
請求項９から１１のいずれかに記載の消防ポンプ用制御装置を備えることを特徴とする消防ポンプ車。
【請求項１３】
前記消防ポンプへ供給する水を貯留するタンクと、このタンクに貯留された水量を検出する水量センサとを備え、前記消防ポンプ用表示器は、前記水量センサの検出結果を図形で示す像を前記表示部に表示させる水量像表示手段を具備する請求項１２記載の消防ポンプ車。
【発明の詳細な説明】
【技術分野】
【０００１】
本発明は、消防ポンプの運転状態を表示する表示器、及び該表示器を具備し、消防ポンプの運転を制御する消防ポンプ用制御装置、並びに該消防ポンプ制御装置を備える消防ポンプ車に関するものである。
【背景技術】
【０００２】
従来より、消防ポンプにおいては、ポンプ及びエンジンなどにそれぞれセンサを設け、各センサによる検出結果を計器によって表示するようにしていた。
【０００３】
このように、例えば、エンジンに回転数の状態を表す回転計を設けたり、また、ポンプ内にポンプ内の所定位置の水圧を計測する水圧計を設けたりするなど、各箇所にそれぞれ固有の計器を配置することで、例えば、必要なデータを確認したい場合には、作業員が配置されたメーターを視認するなどして、消防ポンプの状態を確認してその運転を制御するようにしていた。
【０００４】
しかし、このような各箇所に各別に計器が配置された消防ポンプでは、ポンプ全体の状態を確認しようとすると、作業員が各計器を個々に見て各種情報を確認し、その結果に基づいて状態を総合的に判断しなければならないという煩雑さがあった。
【０００５】
そこで、各種センサのデータを１つの表示部に出力して一体表示する消防ポンプ用の表示器が開発されている（例えば、特許文献１参照。）。
【０００６】
また、次のような表示器も実用化されている。
【０００７】
図１６は、消防ポンプを内蔵する従来の消防ポンプ車の側面図であり、図中、Ｆは、車両Ｃのシャーシたるフレームである。フレームＦは前後に距離を隔てて配置した車軸上に担持されており、前方の車軸の両端には前輪１１０（１１０）が、後方の車軸の両端には後輪１１１（１１１）がそれぞれ固定してある。このフレームＦ上の前輪１１０（１１０）側の領域には、運転席、助手席及び後部座席等を内部に備える運転部６が設けてあり、運転部６の後方には、略矩形の筐体内にポンプ及びタンク等を設けてなる本体が配設してある。
【０００８】
前記筐体の天井には、ライト及び作業具収納ボックス等を備える機能部７が設けてあり、筐体内の後部には、ホース及び放水銃等を収納する収納部８が設けてある。また、筐体の側部には、ホースを接続する複数の接続部が配設してあり、これら接続部の近傍には、真空ポンプの回転数をアナログで表示する回転計３００、エンジンの回転数をアナログで表示する回転計３０１、主ポンプの吸水側の圧力をアナログで表示する連成計３０２、及び主ポンプの吐水側の圧力をアナログで表示する圧力計３０３等がそれぞれ配設してある。そして、これら各計器の近傍に、液晶モニタ等を設けてなる表示器２００が取り付けてあり、この表示器２００には、前述した各計器に示された全ての値がそれぞれデジタル表示、即ち数字で表示されていた。
【０００９】
【特許文献１】特開２００１−１４９４９４号公報
【発明の開示】
【発明が解決しようとする課題】
【００１０】
ところが、前述したいずれの表示器でも、表示器に各検出値が全て表示されており、視認優先度の高いデータと視認優先度の低いデータが混在状態で表示されていたため、作業員が知りたい検出値を瞬時に視認して、その運転状態を判断することが困難であった。
【００１１】
また、表示器が占めることができる面積は制限されている一方、表示器上に全ての検出値が表示されているので、各検出値の表示サイズが小さく、遠距離から視認することが困難であった。
【００１２】
更に、各検出値は、数字で表示されているので、消火作業のように緊急性を有する作業においては、数字の読み取りに時間がかかってしまうという不具合もあった。
【００１３】
本発明は、かかる問題を解決すべくなされたものである。
【課題を解決するための手段】
【００１４】
請求項１記載の消防ポンプ用表示器は、消防ポンプの適宜位置に配設され、当該消防ポンプの運転状態を検出する複数のセンサが検出した検出結果を表示部に表示する消防ポンプ用表示器において、各センサに応じた複数種類のアナログメーター像を前記表示部に表示させ得るアナログメーター像表示手段と、このアナログメーター像表示手段に表示させるアナログメーター像の種類を切り替えるアナログメーター像切替手段とを備えることを特徴とする。
【００１５】
請求項２記載の消防ポンプ用表示器は、前記アナログメーター像表示手段は、前記表示部にアナログメーター像を表示させる基本画面に、視認優先度が高い種類のアナログメーター像を表示させようにしてあることを特徴とする。
【００１６】
請求項３記載の消防ポンプ用表示器は、前記アナログメーター像表示手段は前記基本画面に２つのアナログメーター像を表示するようになしてあり、一方のアナログメーター像には、消防ポンプの吸水側の圧力を検出するセンサの検出結果が表示され、他方のアナログメーター像には、消防ポンプの吐水側の圧力を検出するセンサの検出結果が表示されるようになっていることを特徴とする。
【００１７】
請求項４記載の消防ポンプ用表示器は、前記各センサが検出した検出結果をそれぞれデジタルメーター像で前記表示部に表示させるデジタルメーター像表示手段を更に備えることを特徴とする。
【００１８】
請求項５記載の消防ポンプ用表示器は、消防ポンプの動作状態を図形で示す像、及び／又は放水状態を図形で示す像、及び／又は吸水状態を図形で示す像を前記表示部に表示させる状態像表示手段を更に備え、状態像表示手段は、対応するセンサの検出結果に基づいて、対応する像の表示状態を変更するようにしてあることを特徴とする。
【００１９】
請求項６記載の消防ポンプ用表示器は、所要センサの検出結果に基づいて、前記消防ポンプの運転に係る警告像を前記アナログメーター像が表示される第１画面に表示させる警告像表示手段を備えることを特徴とする。
【００２０】
請求項７記載の消防ポンプ用表示器は、前記状態像表示手段による像の表示状態の説明を表示した第２画面を前記表示部に表示させる第２画面表示手段と、表示部に表示されている画面を、前記アナログメーター像が表示される第１画面と前記第２画面とに切り替える表示画面切替手段とを備えることを特徴とする。
【００２１】
請求項８記載の消防ポンプ用表示器は、前記警告像が表示された場合の対処方法を表示した第３画面を前記表示部に表示させる第３画面表示手段と、前記表示部に表示されている画面を、前記第１画面と第３画面とに切り替える表示画面切替手段とを備えることを特徴とする。
【００２２】
請求項９記載の消防ポンプ用制御装置は、消防ポンプの適宜位置に配設され、当該消防ポンプの運転状態を検出する複数のセンサが検出した検出結果を表示部に表示する消防ポンプ用表示器を備え、前記消防ポンプの運転を制御する消防ポンプ用制御装置において、請求項１から８のいずれかに記載の消防ポンプ用表示器を備え、更に、消防ポンプの動作を開始させる手段、消防ポンプの動作を停止させる手段、消防ポンプの出力を上昇させる手段、及び消防ポンプの出力を降下させる手段を備えることを特徴とする。
【００２３】
請求項１０記載の消防ポンプ用制御装置は、消防ポンプの適宜位置に配設され、当該消防ポンプの運転状態を検出する複数のセンサが検出した検出結果を表示部に表示する消防ポンプ用表示器を備え、前記消防ポンプの運転を制御する消防ポンプ用制御装置において、請求項１から８のいずれかに記載の消防ポンプ用表示器を備え、更に、消防ポンプを制御する制御用数値を設定するためのモードに切り替えるモード切替手段と、所要種類の第１アナログメーター像を指定する指定手段と、この第１アナログメーター像に前記制御用数値を設定する制御用数値設定手段と、設定された第１制御用数値を用いて消防ポンプの運転を制御する第１制御手段とを備えることを特徴とする。
【００２４】
請求項１１記載の消防ポンプ用制御装置は、前記指定手段は、前記指定した種類とは異なる種類の第２アナログメーター像を更に指定し得るようにしてあり、前記制御用数値設定手段は第２アナログメーター像に第２制御用数値を設定し得るようにしてあり、設定された第２制御用数値を用いて消防ポンプの運転を制御する第２制御手段を備えることを特徴とする。
【００２５】
請求項１２記載の消防ポンプ車は、吸吐水する消防ポンプと、この消防ポンプの適宜位置に配設され、当該消防ポンプの運転状態を検出する複数のセンサと、各センサが検出した検出結果を表示部に表示する消防ポンプ用表示器を具備し、前記消防ポンプの運転を制御する消防ポンプ用制御装置とを備える消防ポンプ車において、請求項９から１１のいずれかに記載の消防ポンプ用制御装置を備えることを特徴とする。
【００２６】
請求項１３記載の消防ポンプ車は、前記消防ポンプへ供給する水を貯留するタンクと、このタンクに貯留された水量を検出する水量センサとを備え、前記消防ポンプ用表示器は、前記水量センサの検出結果を図形で示す像を前記表示部に表示させる水量像表示手段を具備することを特徴とする。
【発明の効果】
【００２７】
（１）請求項１記載の消防ポンプ用表示器では、アナログメーター像表示手段によって、消防ポンプの運転状態を検出する複数のセンサに応じた複数種類のアナログメーター像を表示部に表示させ得るようになっており、アナログメーター像切替手段によって、前記アナログメーター像表示手段に表示させるアナログメーター像の種類を切り替えるようになっているため、表示部の限られた表示スペース内に、選択したアナログメーター像をより大きく表示することができる。したがって、作業員は遠い位置からでも瞬時にデータを判断することができる。
【００２８】
しかも、アナログメーター像を用いてアナログ表示するようにしているので、表示状態を図形認識により瞬時に判断することができる。その結果、消火作業のように緊急性を有する作業においても、数字の読み取りに時間をかけることがなく、センサの検出結果を瞬時に視認することができる。
【００２９】
（２）請求項２記載の消防ポンプ用表示器では、アナログメーター像表示手段は、表示部にアナログメーター像を表示させる基本画面に、視認優先度が高い種類のアナログメーター像を表示させようにしてあるため、視認する必要頻度の高いデータを優先的に確認することができて、消火作業効率を向上させることができる。
【００３０】
（３）請求項３記載の消防ポンプ用表示器では、アナログメーター像表示手段は基本画面に２つのアナログメーター像を表示するようになしてあり、一方のアナログメーター像には、消防ポンプの吸水側の圧力を検出するセンサの検出結果が表示され、他方のアナログメーター像には、消防ポンプの吐水側の圧力を検出するセンサの検出結果が表示されるようになっているため、消防ポンプの吸水側の圧力を検出するセンサの検出結果を表示する連成計と、消防ポンプの吐水側の圧力を検出するセンサの検出結果を表示する圧力計とを優先的に表示することができ、水の吸入・吐出状況を同時的に視認することができる。したがって、水の吸入・吐出状況に異常等が見つかれば、速やかに対応することができて、円滑かつ確実な消火活動を継続することができる。その結果、この点からも消火作業効率を向上させることができる。
【００３１】
（４）請求項４記載の消防ポンプ用表示器では、各センサが検出した検出結果をそれぞれデジタルメーター像で表示部に表示させるデジタルメーター像表示手段を更に備えるため、検出結果をデジタルデータでも確認することができる。したがって、必要に応じて、詳細な数値を確認することができる。
【００３２】
（５）請求項５記載の消防ポンプ用表示器では、消防ポンプの動作状態を示す像、及び／又は放水状態を示す像、及び／又は吸水状態を示す像を表示部に表示させる状態像表示手段を備え、状態像表示手段は、対応するセンサの検出結果に基づいて、対応する像の表示状態を変更するようにしてあるため、ポンプの運転状態を図形認識により瞬時に判断することができる。その結果、消火作業のように緊急性を有する作業においても、読み取りに時間をかけることがなく、ポンプの運転状態を把握することができる。
【００３３】
（６）請求項６記載の消防ポンプ用表示器では、所要センサの検出結果に基づいて、消防ポンプの運転に係る警告像をアナログメーター像が表示される第１画面に表示させるため、消防ポンプの運転に支障が生じることを比較的離れた位置からでも瞬時にかつ確実に認識することができる。
【００３４】
（７）請求項７記載の消防ポンプ用表示器では、状態像表示手段による像の表示状態の説明を表示した第２画面を表示部に表示させるため、その場で、像の表示状態を理解することができる。また、表示器とは別に説明書等を配備する必要がないので便利である上に、説明書等を取り扱う煩雑な作業を省くことができる。更に、アナログメーター像が表示される第１画面と前記第２画面とを表示画面切替手段によって切り替えるため、１つの表示部を有効利用することができる。
【００３５】
（８）請求項８記載の消防ポンプ用表示器では、警告像が表示された場合の対処方法を表示した第３画面を表示部に表示させるため、その場で、警告に対する対処方法を理解することができる。また、表示器とは別に対処方法の説明書等を配備する必要がないので便利である上に、当該説明書等を取り扱う煩雑な作業を省くことができ、警告に対して迅速かつ正確に対処することができる。更に、表示部に表示されている画面を、第１画面と第３画面とに切り替えるため、１つの表示部を有効利用することができる。
【００３６】
（９）請求項９記載の消防ポンプ用制御装置では、消防ポンプ用表示器のアナログメーター像を視認しつつ、消防ポンプの動作の開始・停止、及び消防ポンプの出力を上昇・降下を行うことができ、前述した如く、アナログメーター像によって消防ポンプの運転状態を図形認識により瞬時に判断しつつ、消防ポンプの運転を制御することができる。
【００３７】
（１０）請求項１０記載の消防ポンプ用制御装置では、第１アナログメーター像に第１制御用数値を設定し、設定した第１制御用数値を用いて消防ポンプの運転を制御するため、上下限値等を視覚的に容易かつ確実に判断しつつ、第１制御用数値を設定することができ、誤った値を第１制御用数値として設定することが防止され、安全性が高い。
【００３８】
また、モード切替手段によって、消防ポンプの運転を制御する制御用数値を設定するためのモードに切り替えて第１制御用数値を設定するため、一つの表示部を有効利用することができる。
【００３９】
（１１）請求項１１記載の消防ポンプ用制御装置では、第１制御用数値に加え、第２制御用数値を用いて、消防ポンプの運転を制御するため、消防ポンプをより安全に運転することができる。また、第２アナログメーター像を用いて第２制御用数値を設定するため、前同様、上下限値等を視覚的に容易かつ確実に判断しつつ、第２制御用数値を設定することができ、誤った値を第２制御用数値として設定することが防止され、安全性が高い。
【００４０】
（１２）請求項１２記載の消防ポンプ車では、前述した消防ポンプ用制御装置を備えるため、前述した各効果を奏する。
【００４１】
（１３）請求項１３記載の消防ポンプ車では、タンクに貯留された水量を検出する水量センサの検出結果を図形で示す像を前記表示部に表示させるため、タンクの残水量を、図形認識により瞬時に把握することができる。
【発明を実施するための最良の形態】
【００４２】
本発明に係る消防ポンプ用表示器は、消防ポンプの適宜位置に配設され、当該消防ポンプの運転状態を検出する複数のセンサが検出した検出結果を表示部に表示する場合、各センサに応じた複数種類のアナログメーター像を前記表示部に表示させ得るアナログメーター像表示手段を備える。そして、このアナログメーター像表示手段に表示させるアナログメーター像の種類をアナログメーター像切替手段によって切り替える。
【００４３】
このアナログメーター像表示手段は、表示部にアナログメーター像を表示させる基本画面に、視認優先度が高い種類のアナログメーター像を表示させようにしてある。
【００４４】
また、アナログメーター像表示手段は基本画面に２つのアナログメーター像を表示するようになしてあり、一方のアナログメーター像（連成計）には、消防ポンプの吸水側の圧力を検出するセンサの検出結果が表示され、他方のアナログメーター像（圧力計）には、消防ポンプの吐水側の圧力を検出するセンサの検出結果が表示されるようになっている。
【００４５】
更に、各センサが検出した検出結果をそれぞれデジタルメーター像で表示部に表示させるデジタルメーター像表示手段を備えている。
【００４６】
一方、消防ポンプ用表示器は、消防ポンプの動作状態を図形で示す像、及び／又は放水状態を図形で示す像、及び／又は吸水状態を図形で示す像を前記表示部に表示させる状態像表示手段を更に備え、この状態像表示手段は、対応するセンサの検出結果に基づいて、対応する像の表示状態を変更するようにしてある。
【００４７】
また、所要センサの検出結果に基づいて、消防ポンプの運転に係る警告像をアナログメーター像が表示される第１画面に表示させる警告像表示手段を備えている。
【００４８】
ところで、状態像表示手段による像の表示状態の説明を表示した第２画面を表示部に表示させる第２画面表示手段を備えており、表示画面切替手段によって、表示部に表示されている画面を、前記アナログメーター像が表示される第１画面と前記第２画面とに切り替えるようにしてある。
【００４９】
また、警告像が表示された場合の対処方法を表示した第３画面を前記表示部に表示させる第３画面表示手段を備えており、表示画面切替手段によって、表示部に表示されている画面を、前記第１画面と第３画面とに切り替えるようになしてある。
【００５０】
一方、本発明に係る消防ポンプ用制御装置は、前述したいずれかに記載の消防ポンプ用表示器を備え、更に、消防ポンプの動作を開始させる手段、消防ポンプの動作を停止させる手段、消防ポンプの出力を上昇させる手段、及び消防ポンプの出力を降下させる手段を備えている。
【００５１】
また、前述したいずれかに記載の消防ポンプ用表示器を備え、更に、消防ポンプを制御する制御用数値を設定するためのモードに切り替えるモード切替手段と、所要種類の第１アナログメーター像を指定する指定手段と、この第１アナログメーター像に前記制御用数値を設定する制御用数値設定手段と、設定された第１制御用数値を用いて消防ポンプの運転を制御する第１制御手段とを備える構成にすることもできる。
【００５２】
更に、前述した指定手段は、前記指定した種類とは異なる種類の第２アナログメーター像を更に指定し得るようにし、また、制御用数値設定手段は第２アナログメーター像に第２制御用数値を設定し得るようになし、第２制御手段によって、設定された第２制御用数値を用いて消防ポンプの運転を制御するようになしてある。そして、第１制御用数値を用いた主制御に並行して、第２制御用数値を用いた副制御を実施する。
【００５３】
ところで、本発明に係る消防ポンプ車は、前述したいずれかの消防ポンプ用制御装置を備える。
【００５４】
更に、消防ポンプへ供給する水を貯留するタンクと、このタンクに貯留された水量を検出する水量センサとを備え、消防ポンプ用表示器は、水量センサの検出結果を図形で示す像を前記表示部に表示させる水量像表示手段を具備している。
【実施例１】
【００５５】
以下に、本発明の実施例を、図面を参照しながら説明する。
【００５６】
図１は、本発明に係る消防ポンプ車の側面図であり、図中、Ｆは、車両Ｃのシャーシたるフレームである。フレームＦは車両Ｃの前後に距離を隔てて配置した車軸上に担持されており、前方の車軸の両端には前輪１１０（１１０）が、後方の車軸の両端には後輪１１１（１１１）がそれぞれ固定してある。このフレームＦ上の前輪１１０（１１０）側の領域には、運転席、助手席及び後部座席等を内部に備える運転部６が設けてあり、運転部６の下方にはエンジンが配設してある。このエンジンにはその出力を調整するスロットルが設けてあり、このスロットルの開閉動作は併設したステッピングモータ等によって遠隔操作し得るようになっている。
【００５７】
前述した運転部６の後方には、前記エンジンの駆動力により駆動する主ポンプ、ホース及び主ポンプ内に所謂呼び水を充填する真空ポンプ並びに水を貯留するタンク等を略矩形の筐体内に設けてなる本体が配設してある。また、筐体の天井には、ライト及び作業具収納ボックス等を備える機能部７が設けてある。
【００５８】
一方、筐体内の後部には、ホース及び放水銃等を収納する収納部８が設けてあり、筐体の側部には、吸水又は吐水のためのホースを接続する複数の接続部９，９，…が配設してある。各接続部９，９，…には、内部を通流する水量及び／又は水圧を検出する流量センサ及び／又は圧力センサがそれぞれ設置してあり、各センサの検出結果は、後述する制御装置（消防ポンプ用制御装置）Ａに与えられるようになっている。また、前述したエンジンの出力軸には、その回転数を検出する回転センサが配設してあり、回転センサの検出結果も制御装置Ａに与えられるようになっている。
【００５９】
制御装置Ａは、前述した接続部９，９，…から距離を隔てた位置であって作業者が操作し易い高さ位置に配設してある。この制御装置Ａには、液晶パネルといった表示部２ａ及び表示制御部等を備える表示器（消防ポンプ用表示器）２及び複数のボタンを備える操作部１、並びに表示器２へ表示指令を出力して表示動作を制御すると共に前述したスロットルの開閉動作等を制御すべくＣＰＵ及びメモリ等を用いてなる制御部が設けてある。
【００６０】
図２は、図１に示した制御装置Ａの正面図である。図２に示した如く、制御装置Ａは、矩形環状のフレームＡＦを備えており、該フレームＡＦ内に、前述した表示器２の表示部２ａが嵌合してある。そして、フレームＡＦの前記表示部２ａの一側近傍部分及びフレームＡＦの前記表示器２ａの底部近傍の部分には、後述する如くＬＥＤを内蔵する複数のボタンを備えた操作部１が設けてある。
【００６１】
フレームＡＦの前記表示部２ａの一側近傍部分の操作部１には、前述したスロットルを開閉操作するスロットル操作ボタン部１３が設けてあり、該スロットル操作ボタン部１３には、スロットルを開させて水圧を上昇させるためのＵＰボタン１３ａと、スロットルを閉させて水圧を降下させるためのＤＯＷＮボタン１３ｂとが上下へ距離を隔てて配設してある。
【００６２】
また、フレームＡＦの前記表示部２ａの底部近傍の部分の操作部１には、ポンプの動作を操作するためのポンプ操作ボタン部１０、表示部２ａに表示される画面を切り替えるための画面切替ボタン部１１、及び表示部２ａに後述する如く表示されるアナログメーターの種類を選択する計器選択ボタン部１２が左右へ距離を隔てて設けてある。そして、前記ポンプ操作ボタン部１０には、前述した真空ポンプの動作を開始させる作動ボタン１０ａ、真空ポンプの動作を停止させる停止ボタン１０ｂ、及び真空ポンプ及び主ポンプの動作を停止させる非常ボタン１０ｃが横一列に配設してある。
【００６３】
また、画面切替ボタン部１１には、前述した各センサの検出値、動作状態及び警告を後述する如くアナログメーター像、図形像及び警告像等の複数の像で表示する通常画面に切り替えるための通常ボタン(表示画面切替手段)１１ａと、通常画面に表示された各像の意味内容を説明する表示説明画面たる第１取扱い画面、及び警告像が表示された場合の対処方法、操作部１の取り扱いを表示した取扱い説明画像たる第２取扱い画面を交互に切替可能に表示させるための取扱いボタン(表示画面切替手段)１１ｂとが配設してある。
【００６４】
更に、前記計器選択ボタン部１２には、前述した回転センサの検出値をアナログメーター像で前記表示部２ａに表示させる回転ボタン（アナログメーター像切替手段）１２ａと、主ポンプの吐水側に配設した流量センサの検出値をアナログメーター像で前記表示部２ａに表示させる流量ボタン（アナログメーター像切替手段）１２ｂと、主ポンプの吸水側に配設した圧力センサの検出値をアナログメーター像で前記表示部２ａに表示させる連成ボタン（アナログメーター像切替手段）１２ｃと、主ポンプの吐水側に配設した圧力センサの検出値をアナログメーター像で前記表示部２ａに表示させる圧力ボタン（アナログメーター像切替手段）１２ｄとが横一列に配設してある。
【００６５】
なお、本実施例では、操作部１をフレームＡＦに形成した各ボタン１０ａ〜１３ｂで構成した場合に付いて示したが、本発明はこれに限らず、表示部２ａの表面にタッチパネルを設けておき、前述したボタン１０ａ〜１３ｂに対応する像を表示することによって操作部を構成するようにしてもよい。
【００６６】
そして、制御装置Ａの制御部は表示部２ａに、初期画面たる通常画面の基本画面として図２に示した画面を表示させるようになっている。
【００６７】
図２に示した如く、基本画面には、横長長方形状の通常画面の一側縁近傍及び底縁近傍には、前述した操作部１の各ボタン１０ａ〜１３ｂの操作状態を各別に表示する複数の操作状態表示像５，５，…が前記各ボタン１０ａ〜１３ｂに対応して配してある。操作状態表示像５，５，…には対応するボタン１０ａ〜１３ｂの名称が表示してあり、操作状態表示像５，５，…は、対応するボタン１０ａ〜１３ｂが押された場合に点灯するようになっている。また、通常画面の一側がわに配した操作状態表示像５，５の近傍には、複数の短冊状の照光部が上下へ重積してあり、照光部の照光数によってスロットルの開閉状態を表示するようにしてある。
【００６８】
これによって、ボタン１０ａ〜１３ｂのうち、どれが操作されているのかを作業者が視覚的に確認できようにしてある。
【００６９】
また、通常画面の中央には、吸水側、ポンプ自体及び吐水側の状態を表示する樹状のポンプ状態表示像４が表示部２ａの上縁近傍から底縁近傍に亘って表示してある。このポンプ状態表示像４の中央位置には、前述した主ポンプの作動状態を円形枠内に図形化した主ポンプ作動表示像４４が表示してあり、該主ポンプ作動表示像４４の近傍に、前述した真空ポンプの作動状態を正方形状枠内に図形化した真空ポンプ作動表示像４３が表示してある。そして、主ポンプ作動表示像４４及び真空ポンプ作動表示像４３は、対応する主ポンプ・真空ポンプが作動している間、点灯するようになっている。また、主ポンプ作動表示像４４の近傍には、主ポンプの作動中にエンジンを冷却するサブラジエターに冷却水が通流されている場合に点灯する冷却水表示像４２が配してあり、冷却水表示像４２には、横長長方形状枠内に「冷却水」の文字が表示されるようになっている。
【００７０】
主ポンプ作動表示像４４の下方には、中継用の接続部９（９）（図１参照）に水が流入している状態を正方形状枠内に図形化した中継口表示像４５，４５が横方向へ距離を隔てて配してあり、この中継口表示像４５，４５の下方に、フィルタを取り付けた吸水管で吸水している状態を正方形状枠内に図形化した吸水口浸水表示像４１、タンク内に貯留されている水量を図形化した複数の貯留水像の数で表示するタンク水量表示像４６、及び吸水口浸水表示像４１が横方向へこの順で距離を隔てて配してある。そして、これら中継口表示像４５，４５、吸水口浸水表示像４１，４１及びタンク水量表示像４６には、前述した主ポンプ作動表示像４４に連通する主吸水管像から分岐した分岐管像が接続してある。
【００７１】
中継口表示像４５，４５及び吸水口浸水表示像４１，４１は、中継口たる接続部９（９）に配設した各センサ、及び吸水口たる接続部９（９）に配設した各センサが通水を検出した場合に点灯するようなっており、前記タンク水量表示像４６は、タンク内に配設した貯水量センサの検出結果に応じた数の貯留水像を点灯するようになっている。また、中継口表示像４５，４５及び吸水口浸水表示像４１，４１のいずれかが点灯した場合、対応する分岐管像及び主吸水管像も点灯するようになっている。
【００７２】
一方、主ポンプ作動表示像４４の上方には、放水銃から放水している状態を正方形状枠内に図形化した放水銃開閉表示像４０，４０，４０，４０，４０が上下左右へ距離を隔てて配してあり、各放水銃開閉表示像４０，４０，４０，４０，４０には、前述した主ポンプ作動表示像４４に連通する主吐水管像から分岐した分岐管像が接続してある。そして、放水銃開閉表示像４０，４０，４０，４０，４０は、各放水銃に係るホースが接続した接続部９，９，…に配設した各センサが通水を検出した場合に点灯するようなっており、各放水銃開閉表示像４０，４０，４０，４０，４０のいずれかが点灯した場合、対応する分岐管像及び主吐水管像も点灯するようになっている。
【００７３】
これによって、作業者が消防ポンプの各状態を視覚的に確認できるようになっている。
【００７４】
これら放水銃開閉表示像４０，４０，４０，４０，４０の近傍には、当該放水銃から放水される流量をデジタル表示する放水銃流量表示像（デジタルメーター像）４０ａ，４０ａ，４０ａ，４０ａ，４０ａがそれぞれ設けてあり、各放水銃流量表示像４０ａ，４０ａ，４０ａ，４０ａ，４０ａには、対応する接続部９，９，…にそれぞれ配設した流量センサの検出値が数字で表示される。
【００７５】
なお、通常画面は、表示すべき優先度が比較的低い像、例えば、前述した放水銃開閉表示像４０，４０，４０，４０，４０、タンク水量表示像４６、及び放水銃流量表示像４０ａ，４０ａ，４０ａ，４０ａ，４０ａ等を表示しないように構成して、表示すべき優先度が高い像をより視認し易くするようにしてもよい。
【００７６】
また、前述した回転ボタン１２ａ、流量ボタン１２ｂ、連成ボタン１２ｃ及び圧力ボタン１２ｄに対応する操作状態表示像５，５，５，５の近傍には、各ボタン１２ａ，１２ｂ，１２ｃ，１２ｄに対応して、主ポンプの回転数を長方形状枠内に数字で表示するデジタルメーター像Ｄ２、主ポンプの吐水側の流量を長方形状枠内に数字で表示するデジタルメーター像Ｄ３、主ポンプの吸水側の水圧を長方形状枠内に数字で表示するデジタルメーター像Ｄ４、主ポンプの吐水側の水圧を長方形状枠内に数字で表示するデジタルメーター像Ｄ５がそれぞれ配してある。また、中央のデジタルメーター像Ｄ３，Ｄ４より少し上方の位置に、ポンプの流量を積算した累計流量を長方形状枠内に数字で表示するデジタルメーター像Ｄ６が設けてある。
【００７７】
更に、表示部２ａのポンプ操作ボタン部１０の上方に、主ポンプの回転数を長方形状枠内に数字で表示するデジタルメーター像Ｄ１が、同種の前記デジタルメーター像Ｄ２より大きいサイズで設けてあり、視認する頻度が高いデータである主ポンプの回転数を強調して表示している。
【００７８】
なお、本実施例では、主ポンプの回転数を数字で表示する２つのデジタルメーター像Ｄ１，Ｄ２を設けた場合に付いて示したが、本発明はこれに限らず、大きいサイズのデジタルメーター像Ｄ１のみを表示するようにしてもよい。
【００７９】
一方、前述した放水銃開閉表示像４０，４０，４０，４０，４０の側方には、警告表示部３が配してあり、警告表示部３は、主ポンプの吸水真空圧力が吸水限界近くになると点灯し警告する水量不足警告像３０と、主ポンプの吸水管内水位が放水可能水位より下がると点灯し警告する落水警告像３１と、真空ポンプ作動時間が所定時間（例えば６０秒）を超えると点灯し警告する真空タイム警告像３２とを、上下へこの順で距離を隔てて表示して構成されている。
【００８０】
このようにして、ポンプがそれぞれ所定の状態になった場合に、警告表示部３の各警告像３０，３１，３２が点灯表示されて、作業者にポンプがそれぞれ所定の状態であることを警告するようにしている。
【００８１】
そして、表示部２ａを上下へ略３分割した中段領域であって、左右方向の中央より少し両側がわの領域にはそれぞれ、円弧状の目盛りに数字を付した数値表示像の中央に針像を回動自在に表示すると共に計器の種類を表示してなる第１アナログメーター像Ａ１及び第２アナログメーター像Ａ２が配してある。第１及び第２アナログメーター像Ａ１，Ａ２のサイズは略同じにしてあり、前述したいずれの像Ｄ１〜４６のサイズより大きくしてある。
【００８２】
このように、第１及び第２アナログメーター像Ａ１，Ａ２は、表示部２ａの中段領域に大きいサイズで表示してあるため、表示部２ａから比較的離れた位置からでも、第１及び第２アナログメーター像Ａ１，Ａ２の数値表示像に対する針像の相対位置を確実に視認することができる。また、第１及び第２アナログメーター像Ａ１，Ａ２の針像の相対位置、即ち図形認識によって、ポンプの運転状態が正常であるか否かを瞬時に判断することができ、その結果、消化作業のように緊急性を要する作業において、数字の読み取りに時間をかけることなく、瞬時にかつ楽に計測データを視認することができる。
【００８３】
ここで、通常画面の初期画面として表示される基本画面では、図３に示した如く、第１アナログメーター像Ａ１に連成計の像が、第２アナログメーター像Ａ２に圧力計の像がそれぞれ表示してある。つまり、第１アナログメーター像Ａ１には、主ポンプの吸水側の水圧が針像の回動位置で表示され、第２アナログメーター像Ａ２には、主ポンプの吐水側の水圧が針像の回動位置でそれぞれ表示されるようになっている。そして、第１アナログメーター像Ａ１の略中央位置に、「連成計」の文字が、また第２アナログメーター像Ａ２の略中央位置に、「圧力計」の文字が表示してあり、更に、第１及び第２アナログメーター像Ａ１，Ａ２の底部中央に、針像が示す値を数字で表示するデジタルメーター部がそれぞれ設けてある。
【００８４】
このように、消防ポンプ作業において一般的に視認する優先度が高い連成計と圧力計とを初期画面として優先的に表示することで、作業効率を向上させるようにしている。また、連成計及び圧力計が予め定められた側に表示されるため、連成計の文字及び圧力計の文字を確認しなくても、両計器像を互いに誤認する事故を防止することができる。
【００８５】
なお、第１アナログメーター像Ａ１に圧力計の像を表示し、第２アナログメーター像Ａ２に連成計の像を表示するように設定してもよいことはいうまでもない。
【００８６】
かかる基本画面が表示されている場合に、操作部１の回転ボタン１２ａ又は流量ボタン１２ｂが操作された場合、例えば、図３及び図４に示した如く、第１アナログメーター像Ａ１に前述した連成計の像に代えて、回転計の像又は流量計の像が表示されるようになっている。なお、図３は、回転ボタン１２ａが操作された場合の通常画面を、図４は流量計ボタン１２ｂが操作された場合の通常画面をそれぞれ示している。
【００８７】
このように、第１アナログメーター像Ａ１及び第２アナログメーター像Ａ２に、複数種類の計器の像を選択的に表示することで、表示部２ａをコンパクトにすることができると共に、表示部２ａをより有効に利用することができる。
【００８８】
なお、第１アナログメーター像Ａ１以外に、第２アナログメーター像Ａ２に、前述した圧力計の像に代えて、回転計の像又は流量計の像を表示するようにしてもよいし、例えば、第１アナログメーター像Ａ１に表示していた計器の像を第２アナログメーター像Ａ２に表示し、操作された回転ボタン１２ａ又は流量ボタン１２ｂに対応する計器の像を第１アナログメーター像Ａ１に表示するようにしてもよい。ただし、連成計の像及び圧力計の像の表示位置を一定にしておいた場合、作業者が、連成計の像及び圧力計の像を他の計器の像と誤認することを防止することができる。
【００８９】
ところで、このような通常画面が表示部２ａに表示されている場合に、図２に示した取扱いボタン１１ｂが操作されると、表示部２ａに表示される画面は通常画面から、次のような第１取扱い画面に切り替えられ、更に取扱いボタン１１ｂが操作されると、次のような第２取扱い画面に切り替えられる。
【００９０】
図５は、第１取扱い画面の例を説明する説明図であり、図６は、第２取扱い画面の例を説明する説明図である。第１取扱い画面は、通常画面に表示された各像の意味内容を主に説明しており、第２取扱い画面は、警告像が表示された場合の対処方法、操作部１の取り扱いを主に表示している。なお、両図中、図２に示した部分に対応する部分には、同じ番号を付してその説明を省略する。
【００９１】
即ち、図５に示した如く、第１取扱い画面には、前述した通常画面から第１アナログメーター像Ａ１及び第２アナログメーター像Ａ２を除いた各像が表示されている。そして、各警告像３０，３１，３２の近傍に、どのような状態の場合に点灯表示されるのかを文字で説明した警告表示説明像３Ａが表示してあり、縮小表示させたポンプ状態表示像４の近傍に、ポンプ状態表示像４の表示内容を文字で説明したポンプ状態表示像説明像４Ａが表示してあり、操作状態表示像５，５，…がどのような場合に点灯するのかをボタンの種類別に文字で説明した操作状態表示像説明像５Ａが表示されている。更に、前述したデジタルメーター像Ｄ６と、主ポンプの通算運転時間を表示するデジタルメーター像Ｄ７が適宜の位置に表示してある。
【００９２】
このように、通常画面に表示されている像及び表示状態の説明を表示部２ａに表示することによって、作業者が通常画面に表示されている像及び表示状態の意味するところを簡単な操作で容易に理解できるようにしてある。
【００９３】
また、図６に示した如く、第２取扱い画面には、前述した各警告像３０，３１，３２が点灯表示された際の対処方法を文字で表示した警告表示取扱像３Ｂと、前述した画面切替ボタン部１１の機能を文字で表示した画面切替ボタン説明像１１Ａと、前述した計器選択ボタン部１２の機能を文字で表示した計器選択ボタン説明像１２Ａと、デジタルメーター像Ｄ６，Ｄ７及びその表示内容をそれぞれ文字で表示したデジタルメーター説明像６Ａ，７Ａとが表示してある。
【００９４】
このように、各警告像３０，３１，３２が点灯表示された際の取扱い方法（対処方法）などの各種情報を表示部２ａに表示するようにして、作業者がそれぞれの警告表示部３の警告に対しての対処方法を容易に実行できるようにしている。
【００９５】
次に、このような制御装置による表示器２の動作及びポンプの動作の制御方法に付いて説明する。
【００９６】
図７から図１２は、図２に示した制御装置Ａの制御部による表示器２及び／又はポンプの動作制御手順を示すフローチャートである。なお、かかる制御手順による制御プログラムは制御部のメモリに予め記憶されている。
【００９７】
図７に示した如く、制御装置Ａが作動されると、制御装置Ａの制御部は、表示器２に図２に示した基本画面を表示させた後（ステップＳ１）、表示器２の表示動作及びポンプの動作を制御する（ステップＳ２，Ｓ５）。
【００９８】
表示器２の表示動作を制御するには、図８及び図９に示した如く、制御装置Ａの制御部は、作動ボタン１０ａが操作されるまで待機し（ステップＳ２１）、作動ボタン１０ａが操作された場合、表示器２ａに対応する操作状態表示像（作動ボタン像）５を点灯表示させる（ステップＳ２２）。制御部は、真空ポンプが起動された場合、表示器２ａに真空ポンプ作動表示像４３を点灯表示させ、真空ポンプが停止された場合、表示器２ａに真空ポンプ作動表示像４３を消灯させる（ステップＳ２３）。また、制御部は、真空ポンプが起動されてから例えば６０秒経過した場合、真空タイム警告像３２を点灯表示させる（ステップＳ２４）。
【００９９】
制御部は、主ポンプが作動すると主ポンプ作動表示像４４を点灯させる等、ポンプ状態に応じて、ポンプ状態表示像４の対応する像を点灯させる（ステップＳ２５）と共に、対応するデジタルメーター像Ｄ１〜４０ａにセンサが検出した数値を表示させる（ステップＳ２６）。また、制御部は、対応するセンサから与えられた検出値に基づいて、第１及び第２アナログメーター像Ａ１，Ａ２の針像の回動位置を算出し（ステップＳ２７）、算出した回動位置に針像を移動表示させる（ステップＳ２８）。
【０１００】
制御部は、計器選択ボタン部１２が操作されたか否かを判断し（ステップＳ２９）、操作されていない場合は、ステップＳ２５へ戻る。一方、制御部は、計器選択ボタン部１２が操作されたと判断した場合、表示器２をして、第１アナログメーター像Ａ１に対応する計器を表示させる（ステップＳ３０）。
【０１０１】
次に、制御部は、前述した取扱いボタン１１ｂが操作されたか否かを判断し（ステップＳ３１）、操作されていない場合は、ステップＳ２５へ戻る。一方、制御部は、取扱いボタン１１ｂが操作されたと判断した場合、表示器２に前述した第１取扱い画面を表示させる（ステップＳ３２）。制御部は、再び取扱いボタン１１ｂが操作されたか否かを判断し（ステップＳ３３）、操作されていない場合、通常ボタン１１ａが操作されたか否かを判断する（ステップＳ３４）。そして、制御部は、通常ボタン１１ａが操作されていない場合、ステップＳ３２へ戻る。
【０１０２】
一方、制御部は、ステップＳ３３において、取扱いボタン１１ｂが操作されたと判断した場合、表示器２に第１取扱い画面に代えて、前述した第２取扱い画面を表示させる（ステップＳ３５）。制御部は、更に取扱いボタン１１ｂが操作された否かを判断し（ステップＳ３６）、取扱いボタン１１ｂが操作されていない場合は、通常ボタン１１ａが操作されたか否かを判断する（ステップＳ３７）。そして、制御部は、通常ボタン１１ａが操作されていない場合、ステップＳ３５へ戻る一方、ステップＳ３６で更に取扱いボタン１１ｂが操作されたと判断した場合、ステップＳ３２へ戻って、再び第１取扱い画面を表示させる。
【０１０３】
一方、制御部は、前述したステップＳ３４及びステップＳ３７で、通常ボタン１１ａが操作されたと判断した場合、表示器２に前述した基本画面を表示させる（ステップＳ３８）。また、制御部は、センサから水量不足又は落水の信号が与えられた場合、水量不足警告像３０又は落水警告像３１を点灯させる（ステップＳ３９）。そして、制御部は、非常ボタン１０ｃが操作されたか否かを判断し（ステップＳ４０）、それが操作されたと判断するまで、ステップＳ２５からステップＳ４０までの操作を繰り返す。
【０１０４】
次に、ステップＳ５のポンプの運転制御手順について図１０から図１２を用いて説明する。
【０１０５】
図１０に示した如く、制御部は、作動ボタン１０ａが操作されるまで待機し（ステップＳ４９）、作動ボタン１０ａが操作された場合、真空ポンプの動作を制御した後（ステップＳ５０）、主ポンプの動作を制御する（ステップＳ６０）によるポンプの運転制御手順を示すは、
【０１０６】
真空ポンプの動作を制御する場合、図１１に示した如く、制御部は、主ポンプ内に設けた水充填センサから水充填信号が与えられたか否かを判断し（ステップＳ５２）、水充填信号が与えられていない場合、真空ポンプを作動させる（ステップＳ５３）。制御部は、停止ボタン１０ｂが操作されたか否かを判断し（ステップＳ５４）、それが操作されていない場合、ステップＳ５２で、水充填信号が与えられたと判断するまで真空ポンプを作動させる。
【０１０７】
一方、制御部は、ステップＳ５４で、停止ボタン１０ｂが操作されたと判断した場合、及び、ステップＳ５２で水充填信号が与えられたと判断した場合、真空ポンプの動作を停止させる（ステップＳ５５）。
【０１０８】
一方、主ポンプの動作を制御する場合、図１２に示した如く、制御部は、真空ポンプの動作を停止された後、非常ボタン１０ｃが操作されたか否かを判断し（ステップＳ６１）、非常ボタン１０ｃが操作されていない場合、主ポンプを作動させる（ステップＳ６２）。制御部は、ＵＰボタン１３ａ又はＤＯＷＮボタン１３ｂが操作されたか否かを判断し（ステップＳ６３）、それが操作された場合、操作されたボタンに応じてスロットルを開又は閉させる制御を実行する（ステップＳ６４）。
【０１０９】
制御部は、ＵＰボタン１３ａ又はＤＯＷＮボタン１３ｂが操作されていない場合、このステップＳ６４をスキップして、ステップＳ６１へ戻る。そして、制御部は、ステップＳ６１で非常ボタン１０ｃが操作されたと判断するまでステップＳ６１からステップＳ６４までの操作を繰り返し、非常ボタン１０ｃが操作されたと判断した場合、主ポンプの動作を停止させる（ステップＳ６５）。
【０１１０】
なお、本実施例では、非常ボタン１０ｃで主ポンプの動作を停止するようにしてあるが、本発明はこれに限らず、前述した停止ボタン１０ｂで主ポンプの動作も停止するようにしてもよい。
【実施例２】
【０１１１】
図１３は、実施例２に係る制御装置の構成を説明する説明図であり、画面を用いて制御に用いる数値を設定し得るようにしてある。なお、図中、図２に示した部分に対応する部分には同じ番号を付してその説明を省略する。
【０１１２】
図１３に示した如く、操作ボタン部１０には、前述した非常ボタン１０ｃ（図２参照）に代えて、自動運転と手動運転とを切り替える自手ボタン１０ｄが設けてある。ここで、自動運転では、予め設定された数値で主ポンプの動作を制御するようになっており、手動制御では、後述するようにして外部設定した数値で主ポンプの動作を制御するようになっている。なお、停止ボタン１０ｂは、真空ポンプ及び主ポンプの動作を停止するようにしてある。
【０１１３】
自手ボタン１０ｄに対応する操作状態表示像５に自動が表示されている場合に、自手ボタン１０ｄが操作されると、前記操作状態表示像５に「手動」の文字が点灯表示される。そして、前述した回転ボタン１２ａ、流量ボタン１２ｂ、連成ボタン１２ｃ及び圧力ボタン１２ｄから制御対象のボタンを操作した場合、当該計器の像が、例えば第２アナログメーター像Ａ２に表示されると共に、数値表示像の近傍に適宜形状の設定値マーク像Ｂ２が表示される。この設定値マーク像Ｂ２の位置は、前述したＵＰボタン１３ａ及びＤＯＷＮボタン１３ｂによって、移動させ得るようになっており、ＵＰボタン１３ａ及びＤＯＷＮボタン１３ｂを操作して、図１３に示した如く、設定値マーク像Ｂ２を所要数値の位置に移動させることによって、所要の第１制御用数値を設定する。
【０１１４】
なお、このようにして設定された第１制御用数値を用いる制御の種類（例えば、目標値制御又は極大値制御等）は予め定めてある。
【０１１５】
これによって、表示器２に表示させた例えば第２アナログメーター像Ａ２上の設定値マーク像Ｂ２を移動させて、第１制御用数値を図形認識により設定し得、従って第１制御用数値を容易かつ確実に設定することができる。
【０１１６】
そして、制御装置Ａの制御部は、このように手動制御が選択されており、第１制御用数値が設定された場合、第１制御用数値を用いて、主ポンプの動作を目標値制御又は極大値制御等によって制御する。
【実施例３】
【０１１７】
図１４は、実施例３に係る制御装置の構成を説明する説明図であり、前述した一の制御である主制御に加え、副制御を行い得るようにしてある。なお、図中、図１３に示した部分に対応する部分には同じ番号を付してその説明を省略する。
【０１１８】
前同様にして、自手ボタン１０ｄを操作して、手動制御にした後、回転ボタン１２ａ、流量ボタン１２ｂ、連成ボタン１２ｃ及び圧力ボタン１２ｄから第１制御対象のボタンを操作して、ＵＰボタン１３ａ及びＤＯＷＮボタン１３ｂによって第１制御用数値を設定する。なお、図１４では、圧力ボタン１２ｄが操作され、第２アナログメーター像Ａ２によって第１制御用数値として、圧力計に係る値が設定されている。
【０１１９】
次に、第１制御用数値に係るボタン以外のボタン、例えば回転ボタン１２ａ、流量ボタン１２ｂ及び連成ボタン１２ｃから第２制御対象のボタンを操作する。このとき、当該計器の像が表示部２ａに表示されていない場合、本実施例では第１アナログメーター像Ａ１にその計器の像が表示される。図１４に示した場合にあっては、連成ボタン１２ｃが操作されており、第１アナログメーター像Ａ１に連成計の像が表示されている。
【０１２０】
このとき、前同様、第１アナログメーター像Ａ１の数値表示像の近傍に適宜形状の設定値マーク像Ｂ１が表示される。そして、ＵＰボタン１３ａ及びＤＯＷＮボタン１３ｂを操作して、設定値マーク像Ｂ１を所要数値の位置に移動させることによって、所要の第２制御用数値を設定する。
【０１２１】
次に、このような制御用数値が設定された場合の制御装置Ａの動作について説明する。
【０１２２】
図１５は、制御用数値が設定された場合の制御装置Ａによる主ポンプの動作の制御手順を示すフローチャートである。制御装置Ａの制御部は、停止ボタン１０ｂが操作されたか否かを判断し（ステップＳ６１ａ）、それが操作されていない場合、自手ボタン１０ｄによって、手動モードが選択されたか否かを判断する（ステップＳ６２ａ）。制御部は、手動モードが選択されていない場合、自動モードが選択されていると判断し、予め設定された出力になるように主ポンプの動作を制御する自動モード制御を実行する（ステップＳ６３ａ）。
【０１２３】
一方、制御部は、ステップＳ６２ａで手動モードが選択されていると判断した場合、前述したようにして第１制御用数値が設定されているか否かを判断し（ステップＳ６４ａ）、それが設定されていない場合は、第１制御用数値が設定されるまで待機する。
【０１２４】
制御部は、第１制御用数値が設定されている場合、前述したようにして第２制御用数値が設定されているか否かを判断する（ステップＳ６５ａ）。そして、制御部は、第２制御用数値が設定されていない場合、第１制御用数値を用いた主ポンプの動作の制御を実施する（ステップＳ６６ａ）。例えば、第１制御用数値が圧力である場合、当該圧力が第１制御用数値になるように主ポンプの動作を制御する目標値制御を実施する。
【０１２５】
一方、制御部は、ステップＳ６４ａで第２制御用数値が設定されている場合、第１制御用数値を用いた主ポンプの動作の正制御を実施する（ステップＳ６７ａ）のに加え、第２制御用数値を用いた主ポンプの動作の副制御を実施する（ステップＳ６８ａ）。例えば、主制御として、圧力が第１制御用数値になるように主ポンプの動作を制御する目標値制御を実施すると共に、副制御として、流量が第２制御用数値以下になるように主ポンプの動作を制御する極大値制御を実施する。
【０１２６】
そして、制御部は、ステップＳ６１ａで停止ボタン１０ｂが操作されたと判断するまで、ステップＳ６１ａ〜ステップＳ６８ａまでの操作を繰り返し、停止ボタン１０ｂが操作された場合、主ポンプの動作を停止させる（ステップＳ６９ａ）。
【０１２７】
このように正副制御による二重制御を実施するため、主ポンプの運転をより安全に行うことができる。また、前同様、第２制御用数値を図形認識により設定し得、従って第２制御用数値を容易かつ確実に設定することができる。
【図面の簡単な説明】
【０１２８】
【図１】本発明に係る消防ポンプ車の側面図である。
【図２】図１に示した制御装置の正面図である。
【図３】回転ボタンが操作された場合の通常画面を説明する説明図である。
【図４】流量ボタンが操作された場合の通常画面を説明する説明図である。
【図５】第１取扱い画面の例を説明する説明図である。
【図６】第２取扱い画面の例を説明する説明図である。
【図７】図２に示した制御装置の制御部による表示器及び／又はポンプの動作制御手順を示すフローチャートである。
【図８】図２に示した制御装置の制御部による表示器及び／又はポンプの動作制御手順を示すフローチャートである。
【図９】図２に示した制御装置の制御部による表示器及び／又はポンプの動作制御手順を示すフローチャートである。
【図１０】図２に示した制御装置の制御部による表示器及び／又はポンプの動作制御手順を示すフローチャートである。
【図１１】図２に示した制御装置の制御部による表示器及び／又はポンプの動作制御手順を示すフローチャートである。
【図１２】図２に示した制御装置の制御部による表示器及び／又はポンプの動作制御手順を示すフローチャートである。
【図１３】実施例２に係る制御装置の構成を説明する説明図である。
【図１４】実施例３に係る制御装置の構成を説明する説明図である。
【図１５】制御用数値が設定された場合の制御装置による主ポンプの動作の制御手順を示すフローチャートである。
【図１６】消防ポンプを内蔵する従来の消防ポンプ車の側面図である。
【符号の説明】
【０１２９】
１      操作部
２      表示器（消防ポンプ用表示器）
２ａ    表示部
３      警告表示部
３Ａ    警告表示説明像
３Ｂ    警告表示取扱像
３０      水量不足警告像
３１      落水警告像
３２      真空タイム警告像
４      ポンプ状態表示像
４Ａ    ポンプ状態表示像説明像
４０      放水銃開閉表示像
４０ａ    放水銃流量表示像
４１      吸水口浸水表示像
４２      冷却水表示像
４３      真空ポンプ作動表示像
４４      主ポンプ作動表示像
４５      中継口表示像
４６      タンク水量表示像
５      操作状態表示像
５Ａ    操作状態表示像説明像
６      運転部
６Ａ    デジタルメーター説明像
７Ａ    デジタルメーター説明像
９      接続部
１０      ポンプ操作ボタン部
１１      画面切替ボタン部
１１Ａ    画面切替ボタン説明像
１２      計器選択ボタン部
１２Ａ    計器選択ボタン説明像
１２ａ    回転ボタン
１２ｂ    流量ボタン
１２ｃ    連成ボタン
１２ｄ    圧力ボタン
１３      スロットル操作ボタン部
Ａ      制御装置（消防ポンプ用制御装置）
ＡＦ    フレーム
Ａ１    第１アナログメーター像
Ａ２    第２アナログメーター像
Ｂ１    第１設定値マーク像
Ｂ２    第２設定値マーク像
Ｄ１〜Ｄ７  デジタルメーター像
【図１】
2005230524.tif 000003
【図２】
2005230524.tif 000004
【図３】
2005230524.tif 000005
【図４】
2005230524.tif 000006
【図５】
2005230524.tif 000007
【図６】
2005230524.tif 000008
【図７】
2005230524.tif 000009
【図８】
2005230524.tif 000010
【図９】
2005230524.tif 000011
【図１０】
2005230524.tif 000012
【図１１】
2005230524.tif 000013
【図１２】
2005230524.tif 000014
【図１３】
2005230524.tif 000015
【図１４】
2005230524.tif 000016
【図１５】
2005230524.tif 000017
【図１６】
2005230524.tif 000018